(57)【要約】【課題】画素配置構造が異なる映像表示パネルを単一の駆動集積回路を用いて駆動できる映像表示装置を提供する。【解決手段】本発明の映像表示装置は、表示パネルのデータラインのうち、互いに隣接するデータラインに交互に供給されるように映像信号を生成し、表示パネルの画素配置構造に応じて映像信号の出力チャンネルを変えて出力するデータ駆動部と、複数のデータラインのうち、互いに隣接するデータラインに交互に映像信号が供給されるように、それぞれのデータラインを交互に選択してデータ駆動部の出力チャンネルに電気的に接続させるデータスイッチング部と、外部から入力された映像データを整列してデータ駆動部に供給するとともに、第１及び第２選択信号とチャンネル変更信号及びデータ制御信号をそれぞれ生成してデータスイッチング部とデータ駆動部の動作をそれぞれ制御するタイミング制御部とを備える。【選択図】図１
2014115656.tif 000002
【特許請求の範囲】
【請求項１】
複数の画素領域を備え、映像を表示する表示パネルと、
前記表示パネルのデータラインのうち、互いに隣接するデータラインに交互に供給されるように映像信号を生成し、前記表示パネルの画素配置構造に応じて前記映像信号の出力チャンネルを変えて出力するデータ駆動部と、
前記複数のデータラインのうち、互いに隣接するデータラインに交互に前記映像信号が供給されるように、それぞれのデータラインを交互に選択して前記データ駆動部の出力チャンネルに電気的に接続させるデータスイッチング部と、
外部から入力された映像データを整列して前記データ駆動部に供給するとともに、第１及び第２選択信号とチャンネル変更信号及びデータ制御信号をそれぞれ生成して前記データスイッチング部とデータ駆動部の動作をそれぞれ制御するタイミング制御部と
を備えることを特徴とする、映像表示装置。
【請求項２】
前記データ駆動部は、
前記タイミング制御部から入力される映像データを順次サンプリングして１水平ライン分のデータを同時に出力する複数の第１ラッチ部と、
前記複数の第１ラッチ部から入力される１水平ライン分のデータのうち、互いに隣接する画素のデータを１／２水平期間単位に分けて順次出力する複数の第２ラッチ部と、
赤色及び緑色階調レベルを同一に細分化した第１ガンマ電圧セットを用いて、前記複数の第２ラッチ部から入力される赤色及び緑色の映像データをアナログ映像信号に変換して出力するＲＧ＿ＤＡＣ（ＲＧ＿Ｄｉｇｉｔａｌ  Ａｎａｌｏｇ  Ｃｏｎｖｅｒｔｅｒ）と、
青色階調レベルを細分化した第２ガンマ電圧セットを用いて、前記複数の第２ラッチ部から入力される青色映像データをアナログ映像信号に変換して出力するＢ＿ＤＡＣ（Ｂ＿Ｄｉｇｉｔａｌ  Ａｎａｌｏｇ  Ｃｏｎｖｅｒｔｅｒ）と、
前記ＲＧ＿ＤＡＣ及びＢ＿ＤＡＣからそれぞれ入力される映像信号を増幅して出力する複数の出力バッファーと、
前記表示パネルの画素配置構造に応じて変更されて供給される前記チャンネル変更信号に応答して、前記各出力バッファーから供給される映像信号の出力チャンネルを変えて出力するチャンネルスイッチング部と
を備えることを特徴とする、請求項１に記載の映像表示装置。
【請求項３】
前記チャンネルスイッチング部は、
前記チャンネル変更信号に応答して３ｉ−２番目の出力バッファーからの映像信号を３ｉ−２番目の出力チャンネルに供給する第１スイッチと、
前記チャンネル変更信号に応答して３ｉ番目の出力バッファーからの映像信号を３ｉ−２番目の出力チャンネルに供給する第２スイッチと、
前記チャンネル変更信号に応答して３ｉ−２番目の出力バッファーからの映像信号を３ｉ−１番目の出力チャンネルに供給する第３スイッチと、
前記チャンネル変更信号に応答して３ｉ−１番目の出力バッファーからの映像信号を３ｉ−１番目の出力チャンネルに供給する第４スイッチと、
前記チャンネル変更信号に応答して３ｉ番目の出力バッファーからの映像信号を３ｉ−１番目の出力チャンネルに供給する第５スイッチと、
前記チャンネル変更信号に応答して３ｉ−１番目の出力バッファーからの映像信号を３ｉ番目の出力チャンネルに供給する第６スイッチと、
前記チャンネル変更信号に応答して３ｉ番目の出力バッファーからの映像信号を３ｉ番目の出力チャンネルに供給する第７スイッチと
を備えることを特徴とする、請求項２に記載の映像表示装置。
【請求項４】
前記データスイッチング部は、
６ｉ−４番目、６ｉ−３番目、６ｉ−１番目のデータラインとそれにそれぞれ対応する３ｉ−２番目、３ｉ−１番目、３ｉ番目の映像信号出力チャンネルとの間にそれぞれ設けられ、前記第２選択信号に応じて、前記６ｉ−４番目、６ｉ−３番目、６ｉ−１番目のデータラインのそれぞれをそれに対応する前記３ｉ−２番目、３ｉ−１番目、３ｉ番目の映像信号出力チャンネルにそれぞれ電気的に接続させる複数の第１スイッチング素子と、
６ｉ−５番目、６ｉ−２番目、６ｉ番目のデータラインとそれにそれぞれ対応する前記３ｉ−２番目、３ｉ−１番目、３ｉ番目の映像信号出力チャンネルとの間にそれぞれ設けられ、前記第１選択信号に応じて、前記６ｉ−５番目、６ｉ−２番目、６ｉ番目のデータラインのそれぞれをそれに対応する前記３ｉ−２番目、３ｉ−１番目、３ｉ番目の映像信号出力チャンネルにそれぞれ電気的に接続させる複数の第２スイッチング素子と
を備えることを特徴とする、請求項３に記載の映像表示装置。
【請求項５】
前記表示パネルの画素がＲＧＢの順に反復配列された場合に、
前記タイミング制御部は、
前記１水平期間のうち１／２期間や奇数フレーム期間には、前記チャンネルスイッチング部の第１、第４、第７スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給し、
前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給することを特徴とする、請求項４に記載の映像表示装置。
【請求項６】
前記データスイッチング部は、
６ｉ−４番目、６ｉ−２番目、６ｉ−１番目のデータラインとそれにそれぞれ対応する３ｉ−２番目、３ｉ−１番目、３ｉ番目の映像信号出力チャンネルとの間にそれぞれ設けられ、前記第２選択信号に応じて、前記６ｉ−４番目、６ｉ−２番目、６ｉ−１番目のデータラインをそれにそれぞれ対応する３ｉ−２番目、３ｉ−１番目、３ｉ番目の映像信号出力チャンネルにそれぞれ電気的に接続させる複数の第１スイッチング素子と、
６ｉ−５番目、６ｉ−３番目、６ｉ番目のデータラインとそれにそれぞれ対応する３ｉ−２番目、３ｉ−１番目、３ｉ番目の映像信号出力チャンネルとの間にそれぞれ設けられ、前記第１選択信号に応じて、前記６ｉ−５番目、６ｉ−３番目、６ｉ番目のデータラインをそれにそれぞれ対応する３ｉ−２番目、３ｉ−１番目、３ｉ番目の映像信号出力チャンネルにそれぞれ電気的に接続させる複数の第２スイッチング素子と
を備えることを特徴とする、請求項３に記載の映像表示装置。
【請求項７】
前記表示パネルの画素がＢＧＲの順に反復配列された場合に、
前記タイミング制御部は、
１水平期間のうち１／２期間や奇数フレーム期間には、前記チャンネルスイッチング部の第２、第３、第６スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給し、
前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給することを特徴とする、請求項６に記載の映像表示装置。
【請求項８】
前記データスイッチング部は
４ｉ−２番目、４ｉ番目のデータラインとそれにそれぞれ対応する３ｉ−２番目、３ｉ番目の映像信号出力チャンネルとの間にそれぞれ設けられ、前記第２選択信号に応じて、前記４ｉ−２番目、４ｉ番目のデータラインをそれにそれぞれ対応する３ｉ−２番目、３ｉ番目の映像信号出力チャンネルにそれぞれ電気的に接続させる複数の第１スイッチング素子と、
４ｉ−３番目、４ｉ−１番目のデータラインとそれにそれぞれ対応する３ｉ−２番目、３ｉ番目の映像信号出力チャンネルとの間にそれぞれ設けられ、前記第１選択信号に応じて、４ｉ−３番目、４ｉ−１番目のデータラインをそれにそれぞれ対応する３ｉ−２番目、３ｉ番目の映像信号出力チャンネルにそれぞれ電気的に接続させる複数の第２スイッチング素子と
を備えることを特徴とする、請求項３に記載の映像表示装置。
【請求項９】
前記表示パネルの画素がＲＧＢＧの順序、ＢＧＲＧの順序、又はＲＧＲＧとＢＧＢＧとを組み合わせた順序で反復配列された場合に、
前記タイミング制御部は、
奇数番目の水平期間のうち１／２期間には前記チャンネルスイッチング部の第１、第７スイッチがターン−オンされるようにチャンネル変更信号を生成し、前記奇数番目の水平期間のうち残り１／２期間には前記チャンネルスイッチング部の第１、第６スイッチがターンオンされるように前記チャンネル変更信号を生成し、偶数番目の水平期間のうち１／２期間には前記チャンネルスイッチング部の第２、第６スイッチがターン−オンされるようにチャンネル変更信号を生成し、前記偶数番目の水平期間のうち残り１／２期間には前記チャンネルスイッチング部の第１、第６スイッチがターン−オンされるように前記チャンネル変更信号を生成して前記チャンネルスイッチング部の各スイッチに供給し、
１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給することを特徴とする、請求項８に記載の映像表示装置。
【請求項１０】
データ駆動部を用いて、映像を表示する表示パネルのデータラインのうち、互いに隣接するデータラインに交互に供給されるように映像信号を生成し、前記表示パネルの画素配置構造に応じて前記映像信号の出力チャンネルを変えて出力する段階と、
データスイッチング部を用いて、前記複数のデータラインのうち、互いに隣接するデータラインに交互に前記映像信号が供給されるように、それぞれのデータラインを交互に選択して前記データ駆動部の出力チャンネルに電気的に接続させる段階と、
外部から入力された映像データを整列して前記データ駆動部に供給するとともに、第１及び第２選択信号とチャンネル変更信号及びデータ制御信号をそれぞれ生成して前記データスイッチング部とデータ駆動部の動作をそれぞれ制御する段階と
を備えることを特徴とする、映像表示装置の駆動方法。
【請求項１１】
前記映像信号の出力チャンネルを変えて出力する段階は、
前記映像データを順次サンプリングして１水平ライン分のデータを同時に出力する段階と、
前記１水平ライン分のデータのうち、互いに隣接する画素のデータを１／２水平期間単位に分けて順次出力する段階と、
赤色及び緑色階調レベルを同一に細分化した第１ガンマ電圧セットを用いて、前記１／２水平期間単位に分けて入力された赤色及び緑色の映像データをアナログ映像信号に変換して出力する段階と、
青色階調レベルを細分化した第２ガンマ電圧セットを用いて、前記１／２水平期間単位に分けて入力された青色映像データをアナログ映像信号に変換して出力する段階と、
前記変換されたアナログ映像信号を増幅して出力する段階と、
前記表示パネルの画素配置構造に応じて変更されて供給される前記チャンネル変更信号に応じて、チャンネルスイッチング部を用いて、前記増幅された各映像信号の出力チャンネルを変えて出力する段階と
を備えることを特徴とする、請求項１０に記載の映像表示装置の駆動方法。
【請求項１２】
前記各映像信号の出力チャンネルを変えて出力する段階は、
第１スイッチを用いて、前記チャンネル変更信号に応じて、３ｉ−２番目の出力バッファーからの映像信号を３ｉ−２番目の出力チャンネルに供給する段階と、
第２スイッチを用いて、前記チャンネル変更信号に応じて、３ｉ番目の出力バッファーからの映像信号を３ｉ−２番目の出力チャンネルに供給する段階と、
第３スイッチを用いて、前記チャンネル変更信号に応じて、３ｉ−２番目の出力バッファーからの映像信号を３ｉ−１番目の出力チャンネルに供給する段階と、
第４スイッチを用いて、前記チャンネル変更信号に応じて、３ｉ−１番目の出力バッファーからの映像信号を３ｉ−１番目の出力チャンネルに供給する段階と、
第５スイッチを用いて、前記チャンネル変更信号に応じて、３ｉ番目の出力バッファーからの映像信号を３ｉ−１番目の出力チャンネルに供給する段階と、
第６スイッチを用いて、前記チャンネル変更信号に応じて、３ｉ−１番目の出力バッファーからの映像信号を３ｉ番目の出力チャンネルに供給する段階と、
第７スイッチを用いて、前記チャンネル変更信号に応じて、３ｉ番目の出力バッファーからの映像信号を３ｉ番目の出力チャンネルに供給する段階と
を備えることを特徴とする、請求項１１に記載の映像表示装置の駆動方法。
【請求項１３】
前記データラインを前記映像信号出力チャンネルにそれぞれ接続させる段階は、
６ｉ−４番目、６ｉ−３番目、６ｉ−１番目のデータラインとそれにそれぞれ対応する３ｉ−２番目、３ｉ−１番目、３ｉ番目の映像信号出力チャンネルとの間にそれぞれ設けられた複数の第１スイッチング素子を用いて、前記第２選択信号に応じて、前記６ｉ−４番目、６ｉ−３番目、６ｉ−１番目のデータラインのそれぞれをそれに対応する前記３ｉ−２番目、３ｉ−１番目、３ｉ番目の映像信号出力チャンネルにそれぞれ電気的に接続させる段階と、
６ｉ−５番目、６ｉ−２番目、６ｉ番目のデータラインとそれにそれぞれ対応する前記３ｉ−２番目、３ｉ−１番目、３ｉ番目の映像信号出力チャンネルとの間にそれぞれ設けられた複数の第２スイッチング素子を用いて、前記第１選択信号に応じて、前記６ｉ−５番目、６ｉ−２番目、６ｉ番目のデータラインのそれぞれをそれに対応する前記３ｉ−２番目、３ｉ−１番目、３ｉ番目の映像信号出力チャンネルにそれぞれ電気的に接続させる段階と
を備えることを特徴とする、請求項１２に記載の映像表示装置の駆動方法。
【請求項１４】
前記データスイッチング部とデータ駆動部の動作をそれぞれ制御する段階は、
前記表示パネルの画素がＲＧＢの順に反復配列された場合に、前記１水平期間のうち１／２期間や奇数フレーム期間には、前記チャンネルスイッチング部の第１、第４、第７スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給する段階と、
前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間にはターン−オフレベルの第１選択信号を生成する一方で、ターン−オンレベルの第２選択信号を生成して前記データスイッチング部に供給する段階と
を備えることを特徴とする、請求項１３に記載の映像表示装置の駆動方法。
【請求項１５】
前記データラインを前記映像信号出力チャンネルにそれぞれ接続させる段階は、
６ｉ−４番目、６ｉ−２番目、６ｉ−１番目のデータラインとそれにそれぞれ対応する３ｉ−２番目、３ｉ−１番目、３ｉ番目の映像信号出力チャンネルとの間にそれぞれ設けられた複数の第１スイッチング素子を用いて、前記第２選択信号に応じて、前記６ｉ−４番目、６ｉ−２番目、６ｉ−１番目のデータラインをそれにそれぞれ対応する３ｉ−２番目、３ｉ−１番目、３ｉ番目の映像信号出力チャンネルにそれぞれ電気的に接続させる段階と、
６ｉ−５番目、６ｉ−３番目、６ｉ番目のデータラインとそれにそれぞれ対応する３ｉ−２番目、３ｉ−１番目、３ｉ番目の映像信号出力チャンネルとの間にそれぞれ設けられた複数の第２スイッチング素子を用いて、前記第１選択信号に応じて、前記６ｉ−５番目、６ｉ−３番目、６ｉ番目のデータラインをそれにそれぞれ対応する３ｉ−２番目、３ｉ−１番目、３ｉ番目の映像信号出力チャンネルにそれぞれ電気的に接続させる段階と
を備えることを特徴とする、請求項１２に記載の映像表示装置の駆動方法。
【請求項１６】
前記データスイッチング部とデータ駆動部の動作をそれぞれ制御する段階は、
前記表示パネルの画素がＢＧＲの順に反復配列された場合に、１水平期間のうち１／２期間や奇数フレーム期間には、前記チャンネルスイッチング部の第２、第３、第６スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給する段階と、
前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給する段階と
を備えることを特徴とする、請求項１５に記載の映像表示装置の駆動方法。
【請求項１７】
前記データラインを前記映像信号出力チャンネルにそれぞれ接続させる段階は、
４ｉ−２番目、４ｉ番目のデータラインとそれにそれぞれ対応する３ｉ−２番目、３ｉ番目の映像信号出力チャンネルとの間にそれぞれ設けられた複数の第１スイッチング素子を用いて、前記第２選択信号に応じて、前記４ｉ−２番目、４ｉ番目のデータラインをそれにそれぞれ対応する３ｉ−２番目、３ｉ番目の映像信号出力チャンネルにそれぞれ電気的に接続させる段階と、
４ｉ−３番目、４ｉ−１番目のデータラインとそれにそれぞれ対応する３ｉ−２番目、３ｉ番目の映像信号出力チャンネルとの間にそれぞれ設けられた複数の第２スイッチング素子を用いて、前記第１選択信号に応じて、４ｉ−３番目、４ｉ−１番目のデータラインをそれにそれぞれ対応する３ｉ−２番目、３ｉ番目の映像信号出力チャンネルにそれぞれ電気的に接続させる段階と
を備えることを特徴とする、請求項１２に記載の映像表示装置の駆動方法。
【請求項１８】
前記データスイッチング部とデータ駆動部の動作をそれぞれ制御する段階は、
前記表示パネルの画素がＲＧＢＧの順序、ＢＧＲＧの順序、又はＲＧＲＧとＢＧＢＧとを組み合わせた順序で反復配列された場合に、奇数番目の水平期間のうち１／２期間には、前記チャンネルスイッチング部の第１、第７スイッチがターン−オンされるようにチャンネル変更信号を生成し、前記奇数番目の水平期間のうち残り１／２期間には前記チャンネルスイッチング部の第１、第６スイッチがターン−オンされるように前記チャンネル変更信号を生成し、
偶数番目の水平期間のうち１／２期間には前記チャンネルスイッチング部の第２、第６スイッチがターン−オンされるようにチャンネル変更信号を生成し、前記偶数番目の水平期間のうち残り１／２期間には前記チャンネルスイッチング部の第１、第６スイッチがターン−オンされるように前記チャンネル変更信号を生成して前記チャンネルスイッチング部の各スイッチに供給する段階と、
前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給する段階と
を備えることを特徴とする、請求項１７に記載の映像表示装置の駆動方法。
【発明の詳細な説明】
【技術分野】
【０００１】
本発明は、画素配置構造が異なる様々な形態の映像表示パネルを単一の駆動集積回路を用いて駆動させることによって、駆動集積回路の設計及び開発コストと製品の製造コストを節減することができる映像表示装置及びその駆動方法に関する。
【背景技術】
【０００２】
近年、パーソナルコンピュータ、携帯用タブレット端末機、ノートパソコン及び各種情報機器のモニターなどの映像表示装置として、軽量薄型の平板表示装置（Ｆｌａｔ  Ｐａｎｅｌ  Ｄｉｓｐｌａｙ）が主に使用されている。このような平板表示装置としては、有機発光ダイオード表示装置（Ｏｒｇａｎｉｃ  Ｌｉｇｈｔ  Ｅｍｉｔｔｉｎｇ  Ｄｉｏｄｅ  Ｄｉｓｐｌａｙ）、液晶表示装置（Ｌｉｑｕｉｄ  Ｃｒｙｓｔａｌ  Ｄｉｓｐｌａｙ）、プラズマ表示パネル（Ｐｌａｓｍａ  Ｄｉｓｐｌａｙ  Ｐａｎｅｌ）、電界放出表示装置（Ｆｉｅｌｄ  Ｅｍｉｓｓｉｏｎ  Ｄｉｓｐｌａｙ）などがある。
【０００３】
平板表示装置は、複数の画素セルが配列された映像表示パネル、及び映像表示パネルを駆動する駆動集積回路を備えており、該駆動集積回路により映像表示パネルに映像が表示される。例えば、有機発光ダイオード表示装置は、有機発光ダイオードに供給される電流のレベルを調節する画素回路が画素セルにそれぞれ配置されて映像表示パネルが構成され、駆動集積回路により映像表示パネルに映像が表示される。
【０００４】
最近、タブレット移動通信機器や各種モバイル通信機器に主に使用される映像表示パネルには様々な画素配置構造が要求されている。例えば、高解像度を実現するために、赤色（Ｒ）、緑色（Ｇ）、青色（Ｂ）の画素がＲＧＢＧ又はＢＧＲＧなどの順序で反復配列されるＰｅｎＴｉｌｅ（登録商標）構造の画素配置が要求されることがあり、文字の可読性や使用者の要求条件によっては、赤色（Ｒ）、緑色（Ｇ）、青色（Ｂ）の画素がＲＧＢ又はＢＧＲの順序で反復配列される画素配置構造が要求されることもある。
【０００５】
しかしながら、従来は、画素配置構造がそれぞれ異なる映像表示パネル別に、その表示パネルを駆動する駆動集積回路を個別に適用するしかなく、駆動集積回路の設計及び開発に高いコストがかかってきた。すなわち、ＲＧＢＧ若しくはＢＧＲＧなどの順序又はＲＧＢ若しくはＢＧＲの順序で反復配列されたそれぞれの映像表示パネル別に、その表示パネルを駆動する駆動集積回路を個別に適用する必要があるため、製品の開発コスト及び製造コストが増加するという問題があった。
【先行技術文献】
【特許文献】
【０００６】
【特許文献１】特開２０１３−１２２５８８号公報
【発明の概要】
【発明が解決しようとする課題】
【０００７】
本発明は上記の問題を解決することを目的とするものであり、画素配置構造が異なる様々な形態の映像表示パネルを、単一の駆動集積回路を用いて駆動することによって、駆動集積回路の設計及び開発コストと製品の製造コストを節減することができる映像表示装置及びその駆動方法に関する。
【課題を解決するための手段】
【０００８】
上記の目的を達成するための本発明の実施例に係る映像表示装置は、複数の画素領域を備え、映像を表示する表示パネルと、該表示パネルのデータラインのうち、互いに隣接するデータラインに交互に供給されるように映像信号を生成し、前記表示パネルの画素配置構造に応じて前記映像信号の出力チャンネルを変えて出力するデータ駆動部と、前記複数のデータラインのうち、互いに隣接するデータラインに交互に前記映像信号が供給されるように、それぞれのデータラインを交互に選択して前記データ駆動部の出力チャンネルに電気的に接続させるデータスイッチング部と、外部から入力された映像データを整列して前記データ駆動部に供給するとともに、第１及び第２選択信号とチャンネル変更信号及びデータ制御信号をそれぞれ生成して前記データスイッチング部とデータ駆動部の動作をそれぞれ制御するタイミング制御部とを備えることを特徴とする。
【０００９】
前記データ駆動部は、前記タイミング制御部から入力される映像データを順次サンプリングして１水平ライン分のデータを同時に出力する複数の第１ラッチ部、前記複数の第１ラッチ部から入力される１水平ライン分のデータのうち、互いに隣接する画素のデータを１／２水平期間単位に分けて順次出力する複数の第２ラッチ部、赤色及び緑色階調レベルを同一に細分化した第１ガンマ電圧セットを用いて、前記複数の第２ラッチ部から入力される赤色及び緑色の映像データをアナログ映像信号に変換して出力するＲＧ＿ＤＡＣ（ＲＧ＿Ｄｉｇｉｔａｌ  Ａｎａｌｏｇ  Ｃｏｎｖｅｒｔｅｒ）、青色階調レベルを細分化した第２ガンマ電圧セットを用いて、前記複数の第２ラッチ部から入力される青色映像データをアナログ映像信号に変換して出力するＢ＿ＤＡＣ（Ｂ＿Ｄｉｇｉｔａｌ  Ａｎａｌｏｇ  Ｃｏｎｖｅｒｔｅｒ）、前記ＲＧ＿ＤＡＣ及びＢ＿ＤＡＣからそれぞれ入力される映像信号を増幅して出力する複数の出力バッファー、及び前記表示パネルの画素配置構造に応じて変更されて供給される前記チャンネル変更信号に応答して前記各出力バッファーから供給される映像信号の出力チャンネルを変えて出力するチャンネルスイッチング部を備えることを特徴とする。
【００１０】
前記チャンネルスイッチング部は、前記チャンネル変更信号に応答して３ｉ−２番目の出力バッファーからの映像信号を３ｉ−２番目の出力チャンネルに供給する第１スイッチ、前記チャンネル変更信号に応答して３ｉ番目の出力バッファーからの映像信号を３ｉ−２番目の出力チャンネルに供給する第２スイッチ、前記チャンネル変更信号に応答して３ｉ−２番目の出力バッファーからの映像信号を３ｉ−１番目の出力チャンネルに供給する第３スイッチ、前記チャンネル変更信号に応答して３ｉ−１番目の出力バッファーからの映像信号を３ｉ−１番目の出力チャンネルに供給する第４スイッチ、前記チャンネル変更信号に応答して３ｉ番目の出力バッファーからの映像信号を３ｉ−１番目の出力チャンネルに供給する第５スイッチ、前記チャンネル変更信号に応答して３ｉ−１番目の出力バッファーからの映像信号を３ｉ番目の出力チャンネルに供給する第６スイッチ、及び前記チャンネル変更信号に応答して３ｉ番目の出力バッファーからの映像信号を３ｉ番目の出力チャンネルに供給する第７スイッチを備えることを特徴とする。
【００１１】
前記データスイッチング部は、６ｉ−４番目、６ｉ−３番目、６ｉ−１番目のデータラインとそれにそれぞれ対応する３ｉ−２番目、３ｉ−１番目、３ｉ番目の映像信号出力チャンネルとの間にそれぞれ設けられ、前記第２選択信号に応じて、前記６ｉ−４番目、６ｉ−３番目、６ｉ−１番目のデータラインのそれぞれをそれに対応する前記３ｉ−２番目、３ｉ−１番目、３ｉ番目の映像信号出力チャンネルにそれぞれ電気的に接続させる複数の第１スイッチング素子、及び６ｉ−５番目、６ｉ−２番目、６ｉ番目のデータラインとそれにそれぞれ対応する前記３ｉ−２番目、３ｉ−１番目、３ｉ番目の映像信号出力チャンネルとの間にそれぞれ設けられ、前記第１選択信号に応じて、前記６ｉ−５番目、６ｉ−２番目、６ｉ番目のデータラインのそれぞれをそれに対応する前記３ｉ−２番目、３ｉ−１番目、３ｉ番目の映像信号出力チャンネルにそれぞれ電気的に接続させる複数の第２スイッチング素子を備えることを特徴とする。
【００１２】
前記タイミング制御部は、前記表示パネルの画素がＲＧＢの順に反復配列された場合に、前記１水平期間のうち１／２期間や奇数フレーム期間には、前記チャンネルスイッチング部の第１、第４、第７スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給し、前記タイミング制御部は、前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給することを特徴とする。
【００１３】
前記データスイッチング部は、６ｉ−４番目、６ｉ−２番目、６ｉ−１番目のデータラインとそれにそれぞれ対応する３ｉ−２番目、３ｉ−１番目、３ｉ番目の映像信号出力チャンネルとの間にそれぞれ設けられ、前記第２選択信号に応じて、前記６ｉ−４番目、６ｉ−２番目、６ｉ−１番目のデータラインをそれにそれぞれ対応する３ｉ−２番目、３ｉ−１番目、３ｉ番目の映像信号出力チャンネルにそれぞれ電気的に接続させる複数の第１スイッチング素子、及び６ｉ−５番目、６ｉ−３番目、６ｉ番目のデータラインとそれにそれぞれ対応する３ｉ−２番目、３ｉ−１番目、３ｉ番目の映像信号出力チャンネルとの間にそれぞれ設けられ、前記第１選択信号に応じて、前記６ｉ−５番目、６ｉ−３番目、６ｉ番目のデータラインをそれにそれぞれ対応する３ｉ−２番目、３ｉ−１番目、３ｉ番目の映像信号出力チャンネルにそれぞれ電気的に接続させる複数の第２スイッチング素子を備えることを特徴とする。
【００１４】
前記表示パネルの画素がＢＧＲの順に反復配列された場合に、前記タイミング制御部は、１水平期間のうち１／２期間や奇数フレーム期間には、前記チャンネルスイッチング部の第２、第３、第６スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給し、前記タイミング制御部は、前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給することを特徴とする。
【００１５】
前記データスイッチング部は、４ｉ−２番目、４ｉ番目のデータラインとそれにそれぞれ対応する３ｉ−２番目、３ｉ番目の映像信号出力チャンネルとの間にそれぞれ設けられ、前記第２選択信号に応じて、前記４ｉ−２番目、４ｉ番目のデータラインをそれにそれぞれ対応する３ｉ−２番目、３ｉ番目の映像信号出力チャンネルにそれぞれ電気的に接続させる複数の第１スイッチング素子、及び４ｉ−３番目、４ｉ−１番目のデータラインとそれにそれぞれ対応する３ｉ−２番目、３ｉ番目の映像信号出力チャンネルとの間にそれぞれ設けられ、前記第１選択信号に応じて、４ｉ−３番目、４ｉ−１番目のデータラインをそれにそれぞれ対応する３ｉ−２番目、３ｉ番目の映像信号出力チャンネルにそれぞれ電気的に接続させる複数の第２スイッチング素子を備えることを特徴とする。
【００１６】
前記表示パネルの画素がＲＧＢＧの順序、ＢＧＲＧの順序、又はＲＧＲＧとＢＧＢＧとを組み合わせた順序で反復配列された場合に、前記タイミング制御部は、奇数番目の水平期間のうち１／２期間には前記チャンネルスイッチング部の第１、第７スイッチがターン−オンされるようにチャンネル変更信号を生成し、前記奇数番目の水平期間のうち残り１／２期間には前記チャンネルスイッチング部の第１、第６スイッチがターン−オンされるように前記チャンネル変更信号を生成し、偶数番目の水平期間のうち１／２期間には前記チャンネルスイッチング部の第２、第６スイッチがターン−オンされるようにチャンネル変更信号を生成し、前記偶数番目の水平期間のうち残り１／２期間には前記チャンネルスイッチング部の第１、第６スイッチがターン−オンされるように前記チャンネル変更信号を生成して前記チャンネルスイッチング部の各スイッチに供給し、前記タイミング制御部は、１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給することを特徴とする。
【００１７】
また、上記の目的を達成するための本発明の実施例に係る映像表示装置の駆動方法は、データ駆動部を用いて、映像を表示する表示パネルのデータラインのうち、互いに隣接するデータラインに交互に供給されるように映像信号を生成し、前記表示パネルの画素配置構造に応じて前記映像信号の出力チャンネルを変えて出力する段階と、データスイッチング部を用いて、前記複数のデータラインのうち、互いに隣接するデータラインに交互に前記映像信号が供給されるように、それぞれのデータラインを交互に選択して前記データ駆動部の出力チャンネルに電気的に接続させる段階と、外部から入力された映像データを整列して前記データ駆動部に供給するとともに、第１及び第２選択信号とチャンネル変更信号及びデータ制御信号をそれぞれ生成して前記データスイッチング部とデータ駆動部の動作をそれぞれ制御する段階とを備えることを特徴とする。
【００１８】
前記映像信号の出力チャンネルを変えて出力する段階は、前記映像データを順次サンプリングして１水平ライン分のデータを同時に出力する段階と、前記１水平ライン分のデータのうち、互いに隣接する画素のデータを１／２水平期間単位に分けて順次出力する段階と、赤色及び緑色階調レベルを同一に細分化した第１ガンマ電圧セットを用いて、前記１／２水平期間単位に分けて入力された赤色及び緑色の映像データをアナログ映像信号に変換して出力する段階と、青色階調レベルを細分化した第２ガンマ電圧セットを用いて、前記１／２水平期間単位に分けて入力された青色映像データをアナログ映像信号に変換して出力する段階と、前記変換されたアナログ映像信号を増幅して出力する段階と、前記表示パネルの画素配置構造に応じて変更されて供給される前記チャンネル変更信号に応じて、チャンネルスイッチング部を用いて、前記増幅された各映像信号の出力チャンネルを変えて出力する段階とを備えることを特徴とする。
【００１９】
前記各映像信号の出力チャンネルを変えて出力する段階は、第１スイッチを用いて、前記チャンネル変更信号に応じて、３ｉ−２番目の出力バッファーからの映像信号を３ｉ−２番目の出力チャンネルに供給する段階と、第２スイッチを用いて、前記チャンネル変更信号に応じて、３ｉ番目の出力バッファーからの映像信号を３ｉ−２番目の出力チャンネルに供給する段階と、第３スイッチを用いて、前記チャンネル変更信号に応じて、３ｉ−２番目の出力バッファーからの映像信号を３ｉ−１番目の出力チャンネルに供給する段階と、第４スイッチを用いて、前記チャンネル変更信号に応じて、３ｉ−１番目の出力バッファーからの映像信号を３ｉ−１番目の出力チャンネルに供給する段階と、第５スイッチを用いて、前記チャンネル変更信号に応じて、３ｉ番目の出力バッファーからの映像信号を３ｉ−１番目の出力チャンネルに供給する段階と、第６スイッチを用いて、前記チャンネル変更信号に応じて、３ｉ−１番目の出力バッファーからの映像信号を３ｉ番目の出力チャンネルに供給する段階と、第７スイッチを用いて、前記チャンネル変更信号に応じて３ｉ番目の出力バッファーからの映像信号を３ｉ番目の出力チャンネルに供給する段階とを備えることを特徴とする。
【００２０】
前記データラインを前記映像信号出力チャンネルにそれぞれ接続させる段階は、６ｉ−４番目、６ｉ−３番目、６ｉ−１番目のデータラインとそれにそれぞれ対応する３ｉ−２番目、３ｉ−１番目、３ｉ番目の映像信号出力チャンネルとの間にそれぞれ設けられた複数の第１スイッチング素子を用いて、前記第２選択信号に応じて、前記６ｉ−４番目、６ｉ−３番目、６ｉ−１番目のデータラインのそれぞれをそれに対応する前記３ｉ−２番目、３ｉ−１番目、３ｉ番目の映像信号出力チャンネルにそれぞれ電気的に接続させる段階と、６ｉ−５番目、６ｉ−２番目、６ｉ番目のデータラインとそれにそれぞれ対応する前記３ｉ−２番目、３ｉ−１番目、３ｉ番目の映像信号出力チャンネルとの間にそれぞれ設けられた複数の第２スイッチング素子を用いて、前記第１選択信号に応じて、前記６ｉ−５番目、６ｉ−２番目、６ｉ番目のデータラインのそれぞれをそれに対応する前記３ｉ−２番目、３ｉ−１番目、３ｉ番目の映像信号出力チャンネルにそれぞれ電気的に接続させる段階とを備えることを特徴とする。
【００２１】
前記データスイッチング部とデータ駆動部の動作をそれぞれ制御する段階は、前記表示パネルの画素がＲＧＢの順に反復配列された場合に、前記１水平期間のうち１／２期間や奇数フレーム期間には、前記チャンネルスイッチング部の第１、第４、第７スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給する段階と、前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間にはターン−オフレベルの第１選択信号を生成する一方で、ターン−オンレベルの第２選択信号を生成して前記データスイッチング部に供給する段階とを備えることを特徴とする。
【００２２】
前記データラインを前記映像信号出力チャンネルにそれぞれ接続させる段階は、６ｉ−４番目、６ｉ−２番目、６ｉ−１番目のデータラインとそれにそれぞれ対応する３ｉ−２番目、３ｉ−１番目、３ｉ番目の映像信号出力チャンネルとの間にそれぞれ設けられた複数の第１スイッチング素子を用いて、前記第２選択信号に応じて、前記６ｉ−４番目、６ｉ−２番目、６ｉ−１番目のデータラインをそれにそれぞれ対応する３ｉ−２番目、３ｉ−１番目、３ｉ番目の映像信号出力チャンネルにそれぞれ電気的に接続させる段階と、６ｉ−５番目、６ｉ−３番目、６ｉ番目のデータラインとそれにそれぞれ対応する３ｉ−２番目、３ｉ−１番目、３ｉ番目の映像信号出力チャンネルとの間にそれぞれ設けられた複数の第２スイッチング素子を用いて、前記第１選択信号に応じて、前記６ｉ−５番目、６ｉ−３番目、６ｉ番目のデータラインをそれにそれぞれ対応する３ｉ−２番目、３ｉ−１番目、３ｉ番目の映像信号出力チャンネルにそれぞれ電気的に接続させる段階とを備えることを特徴とする。
【００２３】
前記データスイッチング部とデータ駆動部の動作をそれぞれ制御する段階は、前記表示パネルの画素がＢＧＲの順に反復配列された場合に、１水平期間のうち１／２期間や奇数フレーム期間には、前記チャンネルスイッチング部の第２、第３、第６スイッチがターン−オンされるように前記チャンネル変更信号を生成し、前記１水平期間のうち残り１／２期間や偶数フレーム期間には、前記チャンネルスイッチング部の第１、第５、第６スイッチがターン−オンされるように前記チャンネル変更信号を生成して前記チャンネルスイッチング部の各スイッチに供給する段階と、前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給する段階と、を具備することを特徴とする。
【００２４】
前記データラインを前記映像信号出力チャンネルにそれぞれ接続させる段階は、４ｉ−２番目、４ｉ番目のデータラインとそれにそれぞれ対応する３ｉ−２番目、３ｉ番目の映像信号出力チャンネルとの間にそれぞれ設けられた複数の第１スイッチング素子を用いて、前記第２選択信号に応じて、前記４ｉ−２番目、４ｉ番目のデータラインをそれにそれぞれ対応する３ｉ−２番目、３ｉ番目の映像信号出力チャンネルにそれぞれ電気的に接続させる段階と、４ｉ−３番目、４ｉ−１番目のデータラインとそれにそれぞれ対応する３ｉ−２番目、３ｉ番目の映像信号出力チャンネルとの間にそれぞれ設けられた複数の第２スイッチング素子を用いて、前記第１選択信号に応じて、４ｉ−３番目、４ｉ−１番目のデータラインをそれにそれぞれ対応する３ｉ−２番目、３ｉ番目の映像信号出力チャンネルにそれぞれ電気的に接続させる段階とを備えることを特徴とする。
【００２５】
前記データスイッチング部とデータ駆動部の動作をそれぞれ制御する段階は、前記表示パネルの画素がＲＧＢＧの順序、ＢＧＲＧの順序、又はＲＧＲＧとＢＧＢＧとを組み合わせた順序で反復配列された場合に、奇数番目の水平期間のうち１／２期間には前記チャンネルスイッチング部の第１、第７スイッチがターン−オンされるようにチャンネル変更信号を生成し、前記奇数番目の水平期間のうち残り１／２期間には前記チャンネルスイッチング部の第１、第６スイッチがターン−オンされるように前記チャンネル変更信号を生成し、偶数番目の水平期間のうち１／２期間には前記チャンネルスイッチング部の第２、第６スイッチがターン−オンされるようにチャンネル変更信号を生成し、前記偶数番目の水平期間のうち残り１／２期間には前記チャンネルスイッチング部の第１、第６スイッチがターン−オンされるように前記チャンネル変更信号を生成して前記チャンネルスイッチング部の各スイッチに供給する段階と、前記１水平期間のうち１／２期間や奇数フレーム期間には、ターン−オンレベルの第１選択信号を生成する一方で、ターン−オフレベルの第２選択信号を生成し、前記１水平期間のうち残り１／２期間や偶数フレーム期間には、ターン−オフレベルの第１選択信号を生成する一方で、ターン−オンレベルの第２選択信号を生成して前記データスイッチング部に供給する段階とを備えることを特徴とする。
【発明の効果】
【００２６】
上記のような様々な技術的特徴を有する本発明の実施例に係る映像表示装置及びその駆動方法は、画素配置構造が異なる様々な形態の映像表示パネルを単一の駆動集積回路を用いて駆動することによって、駆動集積回路の設計及び開発コストと製品の製造コストを節減させることができる。
【００２７】
また、映像表示パネルのデータラインに交互に選択供給される映像信号の電圧レベルが歪まないようにすることによって、表示画質の低下を防止し、その信頼性を向上させることができる。
【図面の簡単な説明】
【００２８】
【図１】本発明の実施例に係る有機発光ダイオード表示装置を示す構成ブロック図である。
【図２】図１に示したデータ駆動部及びデータスイッチング部の第１実施例を示す構成回路図である。
【図３】図２に示したデータ駆動部、データスイッチング部及び各データラインの駆動方法を説明するためのタイミング図である。
【図４】図１に示したデータ駆動部及びデータスイッチング部の第２実施例を示す構成回路図である。
【図５】図４に示したデータ駆動部、データスイッチング部及び各データラインの駆動方法を説明するためのタイミング図である。
【図６】図１に示したデータ駆動部及びデータスイッチング部の第３実施例を示す構成回路図である。
【図７】図６に示したデータ駆動部、データスイッチング部及び各データラインの駆動方法を説明するためのタイミング図である。
【発明を実施するための形態】
【００２９】
以下、上記のような特徴を有する本発明の実施例に係る映像表示装置及びその駆動方法を、添付の図面を参照して詳しく説明する。本発明の映像表示装置としては、液晶表示装置、電界放出表示装置、プラズマディスプレイパネルなどが挙げられるが、以下では、説明の便宜上、有機発光ダイオード表示装置を取り上げて本発明の様々な実施例を説明する。
【００３０】
図１は、本発明の実施例に係る有機発光ダイオード表示装置を示す構成ブロック図である。
【００３１】
図１に示す有機発光ダイオード表示装置は、複数の画素Ｐ領域を備え、映像を表示する表示パネル１と、表示パネル１のゲートラインＧＬ１〜ＧＬｎを駆動するゲート駆動部２と、表示パネル１のデータラインＤＬ１〜ＤＬｍのうち、互いに隣接するデータラインに交互に供給されるように映像信号を生成し、表示パネル１の画素Ｐ配置構造に応じて映像信号の出力チャンネルＣＨ１〜ＣＨｎを変えて出力するデータ駆動部３と、表示パネル１の電源ラインＰＬ１〜ＰＬｍに第１及び第２電源信号ＶＤＤ、ＧＮＤを供給する電源供給部４と、複数のデータラインＤＬ１〜ＤＬｍのうち、互いに隣接するデータラインに交互に映像信号が供給されるように、それぞれのデータラインを交互に選択してデータ駆動部３の出力チャンネルＣＨ１〜ＣＨｎに電気的に接続させるデータスイッチング部１０と、外部から入力された映像データＲＧＢを整列してデータ駆動部３に供給するとともに、複数の選択信号ＳＣ、ＣＳ、チャンネル変更信号ＳＷＳ及びゲート制御信号ＧＶＳをそれぞれ生成してデータスイッチング部１０、データ駆動部３及びゲート駆動部２の動作をそれぞれ制御するタイミング制御部５と、を備えている。
【００３２】
映像表示パネル１は、複数の画素Ｐがそれぞれの画素領域にマトリクス状に配列されて映像を表示する。ここで、赤色（Ｒ）、緑色（Ｇ）、青色（Ｂ）の画素Ｐは、ＲＧＢＧ又はＢＧＲＧなどの順序で反復配列されることもあり、ＲＧＢ又はＢＧＲの順序で反復配列されることもある。
【００３３】
ＲＧＢＧ若しくはＢＧＲＧなどの順序、又はＲＧＢ若しくはＢＧＲの順序で反復配列されたそれぞれの画素Ｐは、発光ダイオード（Ｌｉｇｈｔ  Ｅｍｉｔｔｉｎｇ  Ｄｉｏｄｅ）と、その発光ダイオードを独立して駆動するダイオード駆動回路と、を備える。具体的に、各画素Ｐは、一つのゲートラインＧＬ、データラインＤＬ、及び電源ラインＰＬに接続されたダイオード駆動回路と、ダイオード駆動回路と第２電源信号ＧＮＤとの間に接続された発光ダイオードと、を備える。
【００３４】
ダイオード駆動回路は、それぞれ接続されたデータラインＤＬからのアナログデータ信号、すなわち映像信号を発光ダイオードに供給しながらも、映像信号が充電されて発光状態を維持するようにする。
【００３５】
ゲート駆動部２は、タイミング制御部５からのゲート制御信号ＧＶＳ、例えば、ゲートスタートパルス（ＧＳＰ；Ｇａｔｅ  Ｓｔａｒｔ  Ｐｕｌｓｅ）及びゲートシフトクロック（ＧＳＣ；Ｇａｔｅ  Ｓｈｉｆｔ  Ｃｌｏｃｋ）に応答してゲートオン信号（例えば、ロー論理のゲート電圧）を順次生成し、ゲート出力イネーブル（ＧＯＥ；Ｇａｔｅ  Ｏｕｔｐｕｔ  Ｅｎａｂｌｅ）信号によってゲートオン信号のパルス幅を制御する。そして、ゲートオン信号をゲートラインＧＬ１〜ＧＬｎに順次供給する。ここで、ゲートラインＧＬ１〜ＧＬｎにゲートオン電圧が供給されない期間にはゲートオフ電圧（例えば、ハイ論理のゲート電圧）が供給される。
【００３６】
データ駆動部３は、タイミング制御部５からのデータ制御信号ＤＶＳ、例えば、ソーススタート信号（ＳＳＰ；Ｓｏｕｒｃｅ  Ｓｔａｒｔ  Ｐｕｌｓｅ）、ソースシフトクロック（ＳＳＣ；Ｓｏｕｒｃｅ  Ｓｈｉｆｔ  Ｃｌｏｃｋ）、ソース出力イネーブル（ＳＯＥ；Ｓｏｕｒｃｅ  Ｏｕｔｐｕｔ  Ｅｎａｂｌｅ）信号などを用いて、互いに隣接するデータラインＤＬ１〜ＤＬｍが毎水平期間において交互に駆動されるように１／２水平周期ごとに１／２水平ライン分ずつ映像信号を生成する。具体的に、データ駆動部３は、ＳＳＣに応じて１／２水平ライン分ずつ入力されるデジタル映像データをラッチした後、ラッチされた映像データＤａｔａの階調値に基づいて所定レベルを持つガンマ電圧を選択することによって、互いに隣接するデータラインＤＬ１〜ＤＬｍが１水平期間において交互に駆動されるように映像信号に変換する。そして、ＳＯＥ信号に応答して、各ゲートラインＧＬ１〜ＧＬｎにスキャンパルスが供給される１水平期間に、２画素分の映像信号を各出力チャンネルＣＨ１〜ＣＨｎに供給する。この時、データ駆動部３は、表示パネル１の画素Ｐ配置構造に応じて、供給されるチャンネル変更信号ＳＷＳに応答して映像信号の出力チャンネルＣＨ１〜ＣＨｎを変えて出力する。言い換えれば、データ駆動部３は、表示パネル１の画素Ｐ配置構造に対応するように、タイミング制御部５で生成されるチャンネル変更信号ＳＷＳを１／２水平期間単位に受信する。そして、１／２水平期間単位に受信したチャンネル変更信号ＳＷＳに応答して、１／２水平期間単位に映像信号の出力チャンネルＣＨ１〜ＣＨｎを変えて出力する。
【００３７】
データスイッチング部１０は、複数のスイッチング素子で構成された複数のマルチプレクサ回路を備えており、タイミング制御部５から入力される第１及び第２選択信号ＳＣ、ＣＳに応じて、３ｉ−２番目のデータライン（ここで、ｉは０以外の自然数）と３ｉ−１番目のデータラインが互いに異なったフレーム期間に駆動されるように、３ｉ−２番目又は３ｉ−１番目のデータラインを交互にデータ駆動部３の映像信号出力チャンネルＣＨ１〜ＣＨｎに電気的に接続させる。言い換えれば、データスイッチング部１０は、第１選択信号ＣＳに応答して、１／２水平期間に３ｉ−２番目のデータラインをそれぞれ対応する映像信号出力チャンネルＣＨ１〜ＣＨｎに電気的に接続させる。そして、残り１／２水平期間には第２選択信号ＳＣに応答して、３ｉ−１番目のデータラインをそれぞれ対応する映像信号出力チャンネルＣＨ１〜ＣＨｎに電気的に接続させる。
【００３８】
タイミング制御部５は、互いに隣接するデータラインＤＬ１〜ＤＬｍが少なくとも一つの水平期間内に交互に駆動されて映像を表示するように、外部からの映像データＲＧＢを整列してデータ駆動部３に供給する。そして、外部からの同期信号ＤＣＬＫ、ＤＥ、Ｈｓｙｎｃ、Ｖｓｙｎｃを用いてゲート制御信号ＧＣＳとデータ制御信号ＤＣＳを生成してデータ駆動部３４とゲート駆動部２をそれぞれ制御する。
【００３９】
特に、タイミング制御部５は、データ駆動部３で１／２水平期間単位に生成された映像信号が、表示パネル１の画素Ｐ配置構造にそれぞれ対応して出力されるように、１／２水平期間単位にチャンネル変更信号ＳＷＳを生成する。表示パネル１の各画素Ｐは、ＲＧＢＧ又はＢＧＲＧなどの順序で反復配列されていることもあり、ＲＧＢ又はＢＧＲの順序で反復配列されていることもある。そこで、タイミング制御部５は、データ駆動部３の映像信号が表示パネル１の画素Ｐ配置構造に対応して出力されるようにチャンネル変更信号ＳＷＳを生成する。そして、チャンネル変更信号ＳＷＳをデータ駆動部３に供給し、データ駆動部３が表示パネル１の画素Ｐ配置構造に応じて映像信号の出力チャンネルＣＨ１〜ＣＨｎを変えて出力するように制御する。
【００４０】
また、タイミング制御部５は、データスイッチング部１０が、互いに隣接するデータラインＤＬ１〜ＤＬｍを交互に選択してデータ駆動部３の映像信号出力チャンネルＣＨ１〜ＣＨｎに電気的に接続させるように、第１及び第２選択信号ＳＣ、ＣＳを生成し、データスイッチング部１０を制御する。この時、タイミング制御部５は、第１及び第２選択信号ＳＣ、ＣＳの位相（例えば、論理レベル）が１／２水平期間単位に交互に変わるように生成してデータスイッチング部１０に供給する。この時、タイミング制御部５は、第１及び第２選択信号ＳＣ、ＣＳの位相（例えば、論理レベル）が１／２水平期間単位や、毎フレーム期間のうち映像表示期間単位に交互に変わるように生成してデータスイッチング部１０に供給する。例えば、１／２水平期間や、毎フレーム期間のうち奇数フレームの映像表示期間には、ロー論理レベルの第１選択信号ＣＳを生成する一方で、ハイ論理レベルの第２選択信号ＳＣを生成する。そして、残り１／２水平期間や、毎フレーム期間のうち偶数フレームの映像表示期間には、ハイ論理レベルの第１選択信号ＣＳを生成する一方で、ロー論理レベルの第２選択信号ＳＣを生成する。
【００４１】
図２は、図１に示したデータ駆動部及びデータスイッチング部の第１実施例を示す構成回路図である。
【００４２】
図２に示すデータ駆動部３は、タイミング制御部５からの映像データＤａｔａを順次サンプリングして１ライン分のデータを同時に出力する複数の第１ラッチ部１１、複数の第１ラッチ部１１から入力される１ライン分のデータのうち、互いに隣接する画素のデータを１／２水平期間単位に分けて順次出力する複数の第２ラッチ部１２、赤色（Ｒ）及び緑色（Ｇ）の階調レベルを細分化した第１ガンマ電圧セットＲＧ＿Ｇａｍｍａを用いて、複数の第２ラッチ部１２から入力される赤色と緑色の映像データをアナログ映像信号に変換して出力するＲＧ＿ＤＡＣ（ＲＧ＿Ｄｉｇｉｔａｌ  Ａｎａｌｏｇ  Ｃｏｎｖｅｒｔｅｒ）１３、青色（Ｂ）の階調レベルを細分化した第２ガンマ電圧セットＢ＿Ｇａｍｍａを用いて、複数の第２ラッチ部１２から入力される青色の映像データをアナログ映像信号に変換して出力するＢ＿ＤＡＣ（Ｂ＿Ｄｉｇｉｔａｌ  Ａｎａｌｏｇ  Ｃｏｎｖｅｒｔｅｒ）１４、ＲＧ＿ＤＡＣ１３及びＢ＿ＤＡＣ１４からそれぞれ入力される映像信号を増幅して出力する複数の出力バッファー１５、及び表示パネル１の画素Ｐ配置構造に応じて変更されて供給されるチャンネル変更信号ＳＷＳに応答して、各出力バッファー１５から供給される映像信号の出力チャンネルＣＨ１〜ＣＨｎを変えて出力するチャンネルスイッチング部１６を備えている。
【００４３】
複数の第１ラッチ部１１は、タイミング制御部５から供給される映像データＤａｔａを順次サンプリングして１水平ライン分ずつ保存し、保存された１水平ライン分の映像データを複数の第２ラッチ部１２に同時に出力する。
【００４４】
複数の第２ラッチ部１２は、複数の第１ラッチ部１１からそれぞれ入力される１ライン分のデータのうち、互いに隣接する画素のデータを１／２水平期間単位に分けて保存し、保存された１／２水平期間単位の映像データを、その出力端に配置されたＲＧ＿ＤＡＣ１３又はＢ＿ＤＡＣ１４に順次供給する。
【００４５】
ＲＧ＿ＤＡＣ１３は、赤色（Ｒ）及び緑色（Ｇ）の階調レベルを細分化した第１ガンマ電圧セットＲＧ＿Ｇａｍｍａを用いて、第２ラッチ部１２からそれぞれ入力される赤色及び緑色の映像データをアナログ映像信号に変換する。すなわち、赤色及び緑色の映像データを、単一のＲＧ＿ＤＡＣ１３を用いて赤色及び緑色の映像信号に変換して出力する。このとき、ＲＧ＿ＤＡＣ１３は、１／２水平期間単位に分けて赤色及び緑色の映像データを変換して出力する。
【００４６】
Ｂ＿ＤＡＣ１４は、青色（Ｂ）の階調レベルを細分化した第２ガンマ電圧セットＢ＿Ｇａｍｍａを用いて、複数の第２ラッチ部１２から入力される青色映像データをアナログ映像信号に変換して出力する。青色の映像データは、赤色及び緑色とは違い、青色の階調レベルを細分化した第２ガンマ電圧セットＢ＿Ｇａｍｍａを別個に用いてアナログ映像信号に変換して出力する。
【００４７】
チャンネルスイッチング部１６は、備えられている表示パネル１の画素Ｐ配置構造に応じてタイミング制御部５から変更されて供給されるチャンネル変更信号ＳＷＳに応答して、それぞれの出力バッファー１５から供給される映像信号の出力チャンネルＣＨ１〜ＣＨｎを変えて出力する。そのために、チャンネルスイッチング部１６は、チャンネル変更信号ＳＷＳに応答して３ｉ−２番目の出力バッファー１５からの映像信号を３ｉ−２番目の出力チャンネルに供給する第１スイッチＳ１、チャンネル変更信号ＳＷＳに応答して３ｉ番目の出力バッファー１５からの映像信号を３ｉ−２番目の出力チャンネルに供給する第２スイッチＳ２、チャンネル変更信号ＳＷＳに応答して３ｉ−２番目の出力バッファー１５からの映像信号を３ｉ−１番目の出力チャンネルに供給する第３スイッチＳ３、チャンネル変更信号ＳＷＳに応答して３ｉ−１番目の出力バッファー１５からの映像信号を３ｉ−１番目の出力チャンネルに供給する第４スイッチＳ４、チャンネル変更信号ＳＷＳに応答して３ｉ番目の出力バッファー１５からの映像信号を３ｉ−１番目の出力チャンネルに供給する第５スイッチＳ５、チャンネル変更信号ＳＷＳに応答して３ｉ−１番目の出力バッファー１５からの映像信号を３ｉ番目の出力チャンネルに供給する第６スイッチＳ６、及びチャンネル変更信号ＳＷＳに応答して３ｉ番目の出力バッファー１５からの映像信号を３ｉ番目の出力チャンネルに供給する第７スイッチＳ７を備えている。
【００４８】
第１乃至第７スイッチＳ１〜Ｓ７のそれぞれは、複数のチャンネル変更信号ＳＷＳのうち、一つずつの変更信号をそれぞれ受信する。そして、それぞれ受信したチャンネル変更信号ＳＷＳの論理レベル（例えば、ロー又はハイレバル）に従ってターン−オン又はターン−オフされる。例えば、第１乃至第７スイッチＳ１〜Ｓ７は、ＮＭＯＳやＰＭＯＳトランジスタで構成されるとよい。このような第１乃至第７スイッチＳ１〜Ｓ７のそれぞれは１／２水平期間単位に入力されるチャンネル変更信号ＳＷＳの論理レベルによってそれぞれターン−オン又はターン−オフされ、それぞれの出力バッファー１５から供給される映像信号の出力チャンネルＣＨ１〜ＣＨｎを変えて出力する。
【００４９】
図２のデータスイッチング部１０は、６ｉ−４番目、６ｉ−３番目、６ｉ−１番目のデータラインとそれに対応する３ｉ−２番目、３ｉ−１番目、３ｉ番目の映像信号出力チャンネルとの間にそれぞれ設けられ、第２選択信号ＳＣに応じて、６ｉ−４番目、６ｉ−３番目、６ｉ−１番目のデータラインをそれに対応する３ｉ−２番目、３ｉ−１番目、３ｉ番目の映像信号出力チャンネルにそれぞれ電気的に接続させる複数の第１スイッチング素子ＴＳ１、及び６ｉ−５番目、６ｉ−２番目、６ｉ番目のデータラインとそれに対応する３ｉ−２番目、３ｉ−１番目、３ｉ番目の映像信号出力チャンネルとの間にそれぞれ設けられ、第１選択信号ＣＳに応じて、６ｉ−５番目、６ｉ−２番目、６ｉ番目のデータラインをそれに対応する３ｉ−２番目、３ｉ−１番目、３ｉ番目の映像信号出力チャンネルにそれぞれ電気的に接続させる複数の第２スイッチング素子ＴＳ２を備えている。
【００５０】
複数の第１スイッチング素子ＴＳ１と複数の第２スイッチング素子ＴＳ２はＮＭＯＳトランジスタで構成されても、ＰＭＯＳトランジスタで構成されてもよいが、本発明の実施例は、複数の第１及び第２スイッチング素子ＴＳ１、ＴＳ２がＰＭＯＳトランジスタで構成された場合を取り上げて説明する。この場合、複数の第１スイッチング素子ＴＳ１のそれぞれは、第２選択信号ＳＣがロー論理レベルで供給される期間にのみターン−オンされ、６ｉ−４番目、６ｉ−３番目、６ｉ−１番目のデータラインをそれに対応する３ｉ−２番目、３ｉ−１番目、３ｉ番目の映像信号出力チャンネルにそれぞれ電気的に接続させる。そして、複数の第２スイッチング素子ＴＳ２のそれぞれは、第１選択信号ＣＳがロー論理レベルで供給される期間にのみターン−オンされ、６ｉ−５番目、６ｉ−２番目、６ｉ番目のデータラインをそれに対応する３ｉ−２番目、３ｉ−１番目、３ｉ番目の映像信号出力チャンネルにそれぞれ電気的に接続させる。
【００５１】
表示パネル１の画素がＲＧＢの順に反復配列された場合においては、赤色画素列はいずれも、同一の１／２水平期間やフレーム期間に赤色映像を表示するものの、緑色画素列とは異なる１／２水平期間やフレーム期間に映像を表示し、緑色画素列もいずれも、同様に、同一の１／２水平期間やフレーム期間に緑色映像を表示するものの、赤色画素列とは異なる１／２水平期間やフレーム期間に映像を表示する。こうすると、奇数番目又は偶数番目の単位にのみデータラインを交互に駆動する場合とは違い、各データラインＤＬに交互に選択供給される赤色と緑色の映像信号の電圧レベルが歪まず、表示画質の低下を防止することができる。青色画素列は、交互に赤色や緑色の画素列と同一のフレーム期間に駆動されてもよいが、青色は人の目に認識される敏感度が低いため、たとえその明暗度が多少歪んだとしても画質への影響が少ない。
【００５２】
図３は、図２に示したデータ駆動部、データスイッチング部及び各データラインの駆動方法を説明するためのタイミング図である。
【００５３】
まず、図３を参照すると、表示パネル１の画素がＲＧＢの順に反復配列された場合に、タイミング制御部５は、１水平期間のうち、１／２期間や奇数フレーム期間には、チャンネルスイッチング部１６の第１、第４、第７スイッチＳ１、Ｓ４、Ｓ７がターン−オンされるようにチャンネル変更信号ＳＷＳを生成及び出力する。そして、１水平期間のうち、残り１／２期間や偶数フレーム期間には、チャンネルスイッチング部１６の第１、第５、第６スイッチＳ１、Ｓ５、Ｓ６がターン−オンされるようにチャンネル変更信号ＳＷＳを生成及び出力する（下記の表１を参照）。この場合、チャンネルスイッチング部１６の第１スイッチＳ１は、チャンネル変更信号ＳＷＳがターン−オンレベルで供給された１／２期間や奇数フレーム期間に、３ｉ−２番目の出力バッファー１５からの映像信号を３ｉ−２番目の出力チャンネルに供給し、第４スイッチＳ４は、３ｉ−２番目の出力バッファー１５からの映像信号を３ｉ−１番目の出力チャンネルに供給し、第７スイッチＳ７は、３ｉ番目の出力バッファー１５からの映像信号を３ｉ番目の出力チャンネルに供給する。また、チャンネルスイッチング部１６の第１スイッチＳ１は、チャンネル変更信号ＳＷＳがターン−オンレベルで供給された残り１／２水平期間や偶数番目フレーム期間において、３ｉ−２番目の出力バッファー１５からの映像信号を３ｉ−２番目の出力チャンネルに供給し、第５スイッチＳ５は、３ｉ番目の出力バッファー１５からの映像信号を３ｉ−１番目の出力チャンネルに供給し、第６スイッチＳ６は、３ｉ−２番目の出力バッファー１５からの映像信号を３ｉ番目の出力チャンネルに供給する。このような制御動作は次の１水平期間や奇数及び偶数フレーム期間にも反復される。
【００５４】
【表１】
2014115656.tif 000003
【００５５】
表示パネル１の画素がＲＧＢの順に反復配列された場合に、タイミング制御部５は、１水平期間のうち１／２期間や奇数フレーム期間には、ターン−オンレベルの第１選択信号ＣＳを生成し、ターン−オフレベルの第２選択信号ＳＣを生成する。そして、１水平期間のうち残り１／２期間や偶数フレーム期間には、ターン−オフレベルの第１選択信号ＣＳを生成し、ターン−オンレベルの第２選択信号ＳＣを生成する。毎フレーム期間のうち、映像が表示されないブランク期間には、互いに同一のターン−オフ論理レベルとしてもよい。この場合、複数の第２スイッチング素子ＴＳ２のそれぞれは、第１選択信号ＣＳがターン−オンレベルで供給される期間にのみターン−オンされ、６ｉ−５番目、６ｉ−２番目、６ｉ番目のデータラインをそれに対応する３ｉ−２番目、３ｉ−１番目、３ｉ番目の映像信号出力チャンネルＣＨ１、ＣＨ２、ＣＨ３にそれぞれ電気的に接続させる。一方、複数の第１スイッチング素子ＴＳ１のそれぞれは、第２選択信号ＳＣがターン−オンレベルで供給される期間にのみターン−オンされ、６ｉ−４番目、６ｉ−３番目、６ｉ−１番目のデータラインをそれに対応する３ｉ−２番目、３ｉ−１番目、３ｉ番目の映像信号出力チャンネルＣＨ１、ＣＨ２、ＣＨ３にそれぞれ電気的に接続させる。このような制御動作は次の１水平期間や奇数及び偶数フレーム期間にも反復される。
【００５６】
上述した通り、データ駆動部３とデータスイッチング部１０は、互いに異なった論理レベルとして位相差を有するように生成されたチャンネル変更信号ＳＷＳと第１及び第２選択信号ＳＣ、ＣＳとに応答して、赤色（Ｒ）画素列に設けられた３ｉ−２番目のデータライン及び緑色（Ｇ）画素列に設けられた３ｉ−１番目のデータラインが互いに異なったフレーム期間に駆動されるようにすることによって、赤色画素と緑色画素とのカップリング現象を防止することができる。
【００５７】
特に、ＲＧＢの順に画素が反復配列された表示パネル１に単一タイプのデータ駆動部３を適用させ、表示パネル１のデータラインを選択的に駆動することによって、表示パネル１のドライバー回路を簡素化することができる。これにより、映像表示装置の製造コストを節減しながらも、映像表示パネルの表示画質の低下を防止して信頼性を向上させることができる。
【００５８】
図４は、図１に示したデータ駆動部及びデータスイッチング部の第２実施例を示す構成回路図である。
【００５９】
図４におけるデータ駆動部３の構造は、図２に示したデータ駆動部３の構造と同一であり、その説明は省略する。
【００６０】
ただし、図４のデータスイッチング部１０は、６ｉ−４番目、６ｉ−２番目、６ｉ−１番目のデータラインとそれに対応する３ｉ−２番目、３ｉ−１番目、３ｉ番目の映像信号出力チャンネルとの間にそれぞれ設けられ、第２選択信号ＳＣに応じて、６ｉ−４番目、６ｉ−２番目、６ｉ−１番目のデータラインをそれに対応する３ｉ−２番目、３ｉ−１番目、３ｉ番目の映像信号出力チャンネルにそれぞれ電気的に接続させる複数の第１スイッチング素子ＴＳ１、及び６ｉ−５番目、６ｉ−３番目、６ｉ番目のデータラインとそれに対応する３ｉ−２番目、３ｉ−１番目、３ｉ番目の映像信号出力チャンネルとの間にそれぞれ設けられ、第１選択信号ＣＳに応じて、６ｉ−５番目、６ｉ−３番目、６ｉ番目のデータラインをそれに対応する３ｉ−２番目、３ｉ−１番目、３ｉ番目の映像信号出力チャンネルにそれぞれ電気的に接続させる複数の第２スイッチング素子ＴＳ２を備えている。
【００６１】
複数の第１スイッチング素子ＴＳ１のそれぞれは、第２選択信号ＳＣがターン−オンレベルで供給される期間にのみターン−オンされ、６ｉ−４番目、６ｉ−２番目、６ｉ−１番目のデータラインをそれに対応する３ｉ−２番目、３ｉ−１番目、３ｉ番目の映像信号出力チャンネルにそれぞれ電気的に接続させる。そして、複数の第２スイッチング素子ＴＳ２のそれぞれは、第１選択信号ＣＳがターン−オンレベルで供給される期間にのみターン−オンされ、６ｉ−５番目、６ｉ−３番目、６ｉ番目のデータラインをそれに対応する３ｉ−２番目、３ｉ−１番目、３ｉ番目の映像信号出力チャンネルにそれぞれ電気的に接続させる。
【００６２】
図５は、図４に示したデータ駆動部、データスイッチング部及び各データラインの駆動方法を説明するためのタイミング図である。
【００６３】
まず、図５を参照すると、表示パネル１の画素がＢＧＲの順に反復配列された場合に、タイミング制御部５は、１水平期間のうち１／２期間や奇数フレーム期間には、チャンネルスイッチング部１６の第２、第３、第６スイッチＳ２、Ｓ３、Ｓ６がターン−オンされるようにチャンネル変更信号ＳＷＳを生成及び出力する。そして、１水平期間のうち残り１／２期間や偶数フレーム期間には、チャンネルスイッチング部１６の第１、第５、第６スイッチＳ１、Ｓ５、Ｓ６がターン−オンされるようにチャンネル変更信号ＳＷＳを生成及び出力する（上記の表１を参照）。この場合、チャンネルスイッチング部１６の第２スイッチＳ２は、チャンネル変更信号ＳＷＳがターン−オンレベルで供給された１／２期間や奇数フレーム期間に、３ｉ番目の出力バッファー１５からの映像信号を３ｉ−２番目の出力チャンネルに供給し、第３スイッチＳ３は３ｉ−２番目の出力バッファー１５からの映像信号を３ｉ−１番目の出力チャンネルに供給し、第６スイッチＳ６は３ｉ−１番目の出力バッファー１５からの映像信号を３ｉ番目の出力チャンネルに供給する。また、チャンネルスイッチング部１６の第１スイッチＳ１は、チャンネル変更信号ＳＷＳがターン−オンレベルで供給された残り１／２水平期間や偶数番目フレーム期間には、３ｉ−２番目の出力バッファー１５からの映像信号を３ｉ−２番目の出力チャンネルに供給し、第５スイッチＳ５は３ｉ番目の出力バッファー１５からの映像信号を３ｉ−１番目の出力チャンネルに供給し、第６スイッチＳ６は３ｉ−２番目の出力バッファー１５からの映像信号を３ｉ番目の出力チャンネルに供給する。このような制御動作は次の１水平期間や奇数及び偶数フレーム期間にも反復される。
【００６４】
表示パネル１の画素がＢＧＲの順に反復配列された場合に、タイミング制御部５は、１水平期間のうち１／２期間や奇数フレーム期間には、ターン−オンレベルの第１選択信号ＣＳを生成し、ターン−オフレベルの第２選択信号ＳＣを生成する。そして、１水平期間のうち残り１／２期間や偶数フレーム期間には、ターン−オフレベルの第１選択信号ＣＳを生成し、ターン−オンレベルの第２選択信号ＳＣを生成する。毎フレーム期間のうち、映像が表示されないブランク期間には、互いに同一のターン−オフ論理レベルとしてもよい。この場合、複数の第２スイッチング素子ＴＳ２のそれぞれは、第１選択信号ＣＳがターン−オンレベルで供給される期間にのみターン−オンされ、６ｉ−５番目、６ｉ−３番目、６ｉ番目のデータラインをそれに対応する３ｉ−２番目、３ｉ−１番目、３ｉ番目の映像信号出力チャンネルＣＨ１、ＣＨ２、ＣＨ３にそれぞれ電気的に接続させる。一方、複数の第１スイッチング素子ＴＳ１のそれぞれは、第２選択信号ＳＣがターン−オンレベルで供給される期間にのみターン−オンされ、６ｉ−４番目、６ｉ−２番目、６ｉ−１番目のデータラインをそれに対応する３ｉ−２番目、３ｉ−１番目、３ｉ番目の映像信号出力チャンネルＣＨ１、ＣＨ２、ＣＨ３にそれぞれ電気的に接続させる。このような制御動作は次の１水平期間や奇数及び偶数フレーム期間にも反復される。
【００６５】
上述した通り、本発明の第２実施例によれば、ＢＧＲの順に画素が反復配列された表示パネル１にも単一タイプのデータ駆動部３を適用することができ、表示パネル１のデータラインを選択的に駆動することによって表示パネル１のドライバー回路を簡素化させることができる。
【００６６】
図６は、図１に示したデータ駆動部及びデータスイッチング部の第３実施例を示す構成回路図である。
【００６７】
図６におけるデータ駆動部３の構造は、図２に示したデータ駆動部３の構造と同一であり、その説明は省略する。
【００６８】
ただし、図６のデータスイッチング部１０は、４ｉ−２番目、４ｉ番目のデータラインとそれに対応する３ｉ−２番目、３ｉ番目の映像信号出力チャンネルとの間にそれぞれ設けられ、第２選択信号ＳＣに応じて、４ｉ−２番目、４ｉ番目のデータラインをそれに対応する３ｉ−２番目、３ｉ番目の映像信号出力チャンネルにそれぞれ電気的に接続させる複数の第１スイッチング素子ＴＳ１、及び４ｉ−３番目、４ｉ−１番目のデータラインとそれに対応する３ｉ−２番目、３ｉ番目の映像信号出力チャンネルとの間にそれぞれ設けられ、第１選択信号ＣＳに応じて、４ｉ−３番目、４ｉ−１番目のデータラインをそれに対応する３ｉ−２番目、３ｉ番目の映像信号出力チャンネルにそれぞれ電気的に接続させる複数の第２スイッチング素子ＴＳ２を備えている。
【００６９】
複数の第１スイッチング素子ＴＳ１のそれぞれは、第２選択信号ＳＣがターン−オンレベルで供給される期間にのみターン−オンされ、４ｉ−２番目、４ｉ番目のデータラインをそれに対応する３ｉ−２番目、３ｉ番目の映像信号出力チャンネルにそれぞれ電気的に接続させる。そして、複数の第２スイッチング素子ＴＳ２のそれぞれは、第１選択信号ＣＳがターン−オンレベルで供給される期間にのみターン−オンされ、４ｉ−３番目、４ｉ−１番目のデータラインをそれに対応する３ｉ−２番目、３ｉ番目の映像信号出力チャンネルにそれぞれ電気的に接続させる。
【００７０】
図７は、図６に示したデータ駆動部、データスイッチング部及び各データラインの駆動方法を説明するためのタイミング図である。
【００７１】
まず、図７を参照すると、表示パネル１の画素がＲＧＢＧの順序、ＢＧＲＧの順序、又はＲＧＲＧとＢＧＢＧとを組み合わせた順序で反復配列された場合に、タイミング制御部５は、奇数番目の水平期間のうち１／２期間には、チャンネルスイッチング部１６の第１、第７スイッチＳ１、Ｓ７がターン−オンされるようにチャンネル変更信号ＳＷＳを生成及び出力する。そして、奇数番目の水平期間のうち残り１／２期間には、チャンネルスイッチング部１６の第１、第６スイッチＳ１、Ｓ６がターン−オンされるようにチャンネル変更信号ＳＷＳを生成及び出力する（上記の表１を参照）。一方、偶数番目の水平期間のうち１／２期間には、チャンネルスイッチング部１６の第２、第６スイッチＳ２、Ｓ６がターン−オンされるようにチャンネル変更信号ＳＷＳを生成及び出力する。そして、偶数番目の水平期間のうち残り１／２期間には、チャンネルスイッチング部１６の第１、第６スイッチＳ１、Ｓ６がターン−オンされるようにチャンネル変更信号ＳＷＳを生成及び出力する。
【００７２】
この場合、チャンネルスイッチング部１６の第１スイッチＳ１は、チャンネル変更信号ＳＷＳがターン−オンレベルで供給された奇数番目の水平期間の１／２期間や奇数フレーム期間に、３ｉ−２番目の出力バッファー１５からの映像信号を３ｉ−２番目の出力チャンネルに供給し、第７スイッチＳ７は、３ｉ番目の出力バッファー１５からの映像信号を３ｉ番目の出力チャンネルに供給する。そして、チャンネルスイッチング部１６の第１スイッチＳ１は、チャンネル変更信号ＳＷＳがターン−オンレベルで供給された奇数番目の水平期間の残り１／２水平期間には、３ｉ−２番目の出力バッファー１５からの映像信号を３ｉ−２番目の出力チャンネルに供給し、第６スイッチＳ６は、３ｉ−１番目の出力バッファー１５からの映像信号を３ｉ番目の出力チャンネルに供給する。
【００７３】
その後、チャンネルスイッチング部１６の第２スイッチＳ２は、チャンネル変更信号ＳＷＳがターン−オンレベルで供給された偶数番目の水平期間の１／２期間に、３ｉ番目の出力バッファー１５からの映像信号を３ｉ−２番目の出力チャンネルに供給し、第６スイッチＳ６は、３ｉ−１番目の出力バッファー１５からの映像信号を３ｉ番目の出力チャンネルに供給する。そして、チャンネルスイッチング部１６の第１スイッチＳ１は、チャンネル変更信号ＳＷＳがターン−オンレベルで供給された偶数番目の水平期間の残り１／２水平期間には、３ｉ−２番目の出力バッファー１５からの映像信号を３ｉ−２番目の出力チャンネルに供給し、第６スイッチＳ６は、３ｉ−１番目の出力バッファー１５からの映像信号を３ｉ番目の出力チャンネルに供給する。このような制御動作は次の１水平期間や奇数及び偶数フレーム期間にも反復される。
【００７４】
表示パネル１の画素がＲＧＢＧの順序、ＢＧＲＧの順序、又はＲＧＲＧとＢＧＢＧとを組み合わせた順序で反復配列された場合に、タイミング制御部５は、１水平期間のうち１／２期間や奇数フレーム期間には、ターン−オンレベルの第１選択信号ＣＳを生成し、ターン−オフレベルの第２選択信号ＳＣを生成する。そして、１水平期間のうち残り１／２期間や偶数フレーム期間には、ターン−オフレベルの第１選択信号ＣＳを生成し、ターン−オンレベルの第２選択信号ＳＣを生成する。毎フレーム期間のうち、映像が表示されないブランク期間には、互いに同一のターン−オフ論理レベルとしてもよい。この場合、複数の第２スイッチング素子ＴＳ２のそれぞれは、第１選択信号ＣＳがターン−オンレベルで供給される期間にのみターン−オンされ、４ｉ−３番目、４ｉ−１番目のデータラインをそれに対応する３ｉ−２番目、３ｉ番目の映像信号出力チャンネルＣＨ１、ＣＨ３にそれぞれ電気的に接続させる。一方、複数の第１スイッチング素子ＴＳ１のそれぞれは、第２選択信号ＳＣがターン−オンレベルで供給される期間にのみターン−オンされ、４ｉ−２番目、４ｉ番目のデータラインをそれに対応する３ｉ−２番目、３ｉ番目の映像信号出力チャンネルＣＨ１、ＣＨ３にそれぞれ電気的に接続させる。このような制御動作は次の１水平期間や奇数及び偶数フレーム期間にも反復される。
【００７５】
上述した通り、本発明の第３実施例によれば、ＲＧＢＧの順序、ＢＧＲＧの順序、又はＲＧＲＧとＢＧＢＧとを組み合わせた順序で画素が反復配列された表示パネル１にも、第１及び第２実施例で適用されたのと同じデータ駆動部３を適用することができ、表示パネル１のデータラインを選択的に駆動することによって表示パネル１のドライバー回路を簡素化させることができる。
【００７６】
上述した通り、データ駆動部３とデータスイッチング部１０は、互いに異なった論理レベルとして位相差を有するように生成されたチャンネル変更信号ＳＷＳと第１及び第２選択信号ＳＣ、ＣＳに応答して、赤色（Ｒ）画素列に設けられた３ｉ−２番目のデータラインと緑色（Ｇ）画素列に設けられた３ｉ−１番目のデータラインが、互いに異なったフレーム期間に駆動されるようにすることによって、赤色画素と緑色画素とのカップリング現象を防止することができる。
【００７７】
特に、ＲＧＢの順に画素が反復配列された表示パネル１に単一タイプのデータ駆動部３を適用することができ、表示パネル１のデータラインを選択的に駆動することによって表示パネル１のドライバー回路を簡素化させることができる。その結果、映像表示装置の製造コストを節減しながらも、映像表示パネルの表示画質の低下を防止し、その信頼性を向上させることができる。
【００７８】
以上説明した内容から、本発明の技術思想から逸脱しない範囲で様々な変更及び修正が可能であるということが当業者にとって理解される。したがって、本発明の技術的範囲は、明細書の詳細な説明に記載された内容に限定されず、特許請求の範囲により定められるべきである。
【符号の説明】
【００７９】
１      表示パネル
２      ゲート駆動部
３      データ駆動部
４      電源供給部
５      タイミング制御部
１０    データスイッチング部
１１    第１ラッチ部
１２    第２ラッチ部
１３    ＲＧ＿ＤＡＣ
１４    Ｂ＿ＤＡＣ
１５    出力バッファー
１６    チャンネルスイッチング部
【図１】
2014115656.tif 000004
【図２】
2014115656.tif 000005
【図３】
2014115656.tif 000006
【図４】
2014115656.tif 000007
【図５】
2014115656.tif 000008
【図６】
2014115656.tif 000009
【図７】
2014115656.tif 000010